(57)【要約】【課題】加熱効率の高い薄板鋼鈑でも、ねじ締め強度の高い電気加熱調理器を提供する。【解決手段】内部に加熱室（図示せず）を形成する内筐体５０と、前記内筐体５０を覆う外筐体５２と、前記外筐体５２の外側に配される外装部品５３と、前記内筐体５０に外方へ突出するように設けられたバーリング穴Ａ５４と、前記外筐体５２に設けられると共に前記バーリング穴Ａ５４が貫通する穴５６とを備え、前記外装部品５３を固定するタッピンねじ５７を前記バーリング穴Ａ５４に締め付けるようにしたもので、内筐体５０の板厚を薄くした加熱効率の高い筐体であっても、ねじ締め強度を高めることができる。【選択図】図３
2006170582.tif 000002
【特許請求の範囲】
【請求項１】
内部に加熱室を形成する内筐体と、前記内筐体を覆う外筐体と、前記外筐体の外側に配される外装部品と、前記内筐体に外方へ突出するように設けられたバーリング穴Ａと、前記外筐体に設けられると共に前記バーリング穴Ａが貫通する穴とを備え、前記外装部品を固定するタッピンねじを前記バーリング穴Ａに締め付けるようにした電気加熱調理器。
【請求項２】
バーリング穴Ａの外径を、タッピンねじの外径より内筐体の板厚の１〜１．５倍大きくした請求項１に記載の電気加熱調理器。
【請求項３】
穴の内径を、バーリング穴Ａの外径より若干大きくした請求項１又は２に記載の電気加熱調理器。
【請求項４】
内部に加熱室を形成する内筐体と、前記内筐体を覆う外筐体と、前記内筐体に外方に突出するように設けられたバーリング穴Ｂと、前記外筐体に内方へ突出するように設けられると共に前記バーリング穴Ｂを内包するバーリング穴Ｃとを備え、タッピングねじを前記バーリング穴Ｂに締め付けるようにした電気加熱調理器。
【請求項５】
バーリング穴Ｂの外径を、タッピングねじの外径より内筐体の板厚の１〜１．５倍大きくした請求項４に記載の電気加熱調理器。
【請求項６】
バーリング穴Ｃの内径を、バーリング穴Ｂの外径より若干大きくした請求項４又は５に記載の電気加熱調理器。
【発明の詳細な説明】
【技術分野】
【０００１】
本発明は、一般家庭用のオーブントースター等の電気加熱調理器に関するもので、特に電気加熱調理器の筐体構成に関するものである。
【背景技術】
【０００２】
従来、この種の電気加熱調理器は、加熱室を形成する内筐体に、内方へ突き出したバーリング穴を設け、このバーリング穴にタッピングねじ等で外装部品を取り付けるようにしていた（例えば、特許文献１参照）。
【０００３】
図６は、上記特許文献１に記載された従来の電気加熱調理器の外装部品の１つである脚体の取り付け部の断面図である。図において２０は、内筐体２１に設けられたネジ貫通孔で、下部に脚体２３を配し、脚体固定用ネジ２５で固定するようにしている。
【特許文献１】実開昭５９−１１３１０６号公報
【発明の開示】
【発明が解決しようとする課題】
【０００４】
しかしながら、前記従来の電気加熱調理器の構成では、内筐体２１の板厚が薄いとネジ締め付け部の強度が弱く、ネジ締めの強度が弱くなり脚体２３がグラつくという課題があった。これを改良するために、内筐体２１の板厚を厚くして強度を増すことも考えられるが、それでは、加熱時、内筐体２１に多くの熱量が奪われ、被調理物の加熱時間が長くなるという課題を有していた。
【０００５】
本発明は、前記従来の課題を解決するもので、薄い板厚の材料で加熱時間の短い効率のよい筐体構成でありながら、外装部品や内・外筐体の締め付け強度に優れ、安全で使い易い電気加熱調理器を提供することを目的とするものである。
【課題を解決するための手段】
【０００６】
前記従来の課題を解決するために、本発明の電気加熱調理器は、内部に加熱室を形成する内筐体と、前記内筐体を覆う外筐体と、前記外筐体の外側に配される外装部品と、前記内筐体に外方へ突出するように設けられたバーリング穴Ａと、前記外筐体に設けられると共に前記バーリング穴Ａが貫通する穴とを備え、前記外装部品を固定するタッピンねじを前記バーリング穴Ａに締め付けるようにしたもので、内筐体の板厚を薄くした加熱効率の高い筐体でありながら、ねじ締め時バーリング穴Ａによってねじ山数が多く掛けられると共に、バーリング穴Ａを外方に突き出しているので、ねじは最初にバーリング穴Ａの先端部にねじを切り始め、ねじ切りによってバーリング穴Ａの径が押し広げられようとしても、バーリング穴Ａの根元部は強度が強いので根元部までは径が押し広げられることが無く、さらに穴がバーリング穴Ａの外径の広がりを規制するので、ねじ山が確実に板厚内へ切り込まれ、ねじ締め強度が強く、しかも締め付けトルクが安定した、安全で使い易い電気加熱調理器を提供することができる。
【０００７】
また、本発明の電気加熱調理器は、内部に加熱室を形成する内筐体と、前記内筐体を覆う外筐体と、前記内筐体に外方に突出するように設けられたバーリング穴Ｂと、前記外筐体に内方へ突出するように設けられると共に前記バーリング穴Ｂを内包するバーリング穴Ｃとを備え、タッピングねじを前記バーリング穴Ｂに締め付けるようにしたもので、タッピングねじ締め時バーリング穴Ｂにねじ山数が多く掛けられると共に、バーリング穴Ｂを外方に突き出しているので、タッピングねじは最初にバーリング穴Ｂの先端部にタッピングねじを切り始め、タッピングねじ切りによってバーリング穴Ｂの径が押し広げられようとしても、バーリング穴Ｂの根元部は強度が強いので根元部までは径が押し広げられることが無く、さらにバーリング穴Ｃがバーリング穴Ｂの外径の広がりを規制するので、タッピングねじ山が確実に板厚内へ切り込まれ、タッピングねじの締め強度を強くすることができる。
【発明の効果】
【０００８】
本発明の電気加熱調理器は、内筐体の板厚が薄い加熱効率の高い筐体であっても、ねじ締め時の強度をたかめることができる。
【発明を実施するための最良の形態】
【０００９】
第１の発明は、内部に加熱室を形成する内筐体と、前記内筐体を覆う外筐体と、前記外筐体の外側に配される外装部品と、前記内筐体に外方へ突出するように設けられたバーリング穴Ａと、前記外筐体に設けられると共に前記バーリング穴Ａが貫通する穴とを備え、前記外装部品を固定するタッピンねじを前記バーリング穴Ａに締め付けるようにしたもので、内筐体の板厚を薄くした加熱効率の高い筐体でありながら、ねじ締め時バーリング穴Ａによってねじ山数が多く掛けられると共に、バーリング穴Ａを外方に突き出しているので、ねじは最初にバーリング穴Ａの先端部にねじを切り始め、ねじ切りによってバーリング穴Ａの径が押し広げられようとしても、バーリング穴Ａの根元部は強度が強いので根元部までは径が押し広げられることが無く、さらに穴がバーリング穴Ａの外径の広がりを規制するので、ねじ山が確実に板厚内へ切り込まれ、ねじ締め強度が強く、しかも締め付けトルクが安定した、安全で使い易い電気加熱調理器を提供することができる。
【００１０】
第２の発明は、特に、第１の発明のバーリング穴Ａの外径を、タッピンねじの外径より内筐体の板厚の１〜１．５倍大きくしたもので、タッピングねじの外径でバーリング穴Ａにタッピングねじを切る際、板厚の１／３〜１／２の切り込み量となり、バーリング穴Ａの強度が安定して強く、しかもタッピングねじの切り込み量も確実に取れるのでねじの締め付けトルクが安定し、安全で使い易い電気加熱調理器とすることができる。
【００１１】
第３の発明は、特に、第１又は第２の発明の穴の内径を、バーリング穴Ａの外径より若干大きくしたもので、バーリング穴Ａがタッピングねじ切りの際径が大きくなろうとしても外筐体の穴で抑えられ、大きくなることができず、確実にタッピングねじの切り込み量を一定化することになり、安定した強度を提供でき、安全で使い易い電気加熱調理器とすることができる。
【００１２】
第４の発明は、内部に加熱室を形成する内筐体と、前記内筐体を覆う外筐体と、前記内筐体に外方に突出するように設けられたバーリング穴Ｂと、前記外筐体に内方へ突出するように設けられると共に前記バーリング穴Ｂを内包するバーリング穴Ｃとを備え、タッピングねじを前記バーリング穴Ｂに締め付けるようにしたもので、タッピングねじ締め時バーリング穴Ｂにねじ山数が多く掛けられると共に、バーリング穴Ｂを外方に突き出しているので、タッピングねじは最初にバーリング穴Ｂの先端部にタッピングねじを切り始め、タッピングねじ切りによってバーリング穴Ｂの径が押し広げられようとしても、バーリング穴Ｂの根元部は強度が強いので根元部までは径が押し広げられることが無く、さらにバーリング穴Ｃがバーリング穴Ｂの外径の広がりを規制するので、タッピングねじ山が確実に板厚内へ切り込まれ、タッピングねじの締め強度を強くすることができる。
【００１３】
第５の発明は、特に、第４の発明のバーリング穴Ｂの外径を、タッピングねじの外径より内筐体の板厚の１〜１．５倍大きくしたもので、タッピングねじの外径でバーリング穴Ｂにタッピングねじを切る際、板厚の１／３〜１／２の切り込み量となり、バーリング穴Ｂの強度が安定して強く、しかもタッピングねじの切り込み量も確実に取れるのでタッピングねじの締め付けトルクが安定し、安全で使い易い電気加熱調理器とすることができる。
【００１４】
第６の発明は、特に、第４又は第５の発明のバーリング穴Ｃの内径を、バーリング穴Ｂの外径より若干大きくしたもので、バーリング穴Ｂがタッピングねじ切りの際径が大きくなろうとしてもバーリング穴Ｃの穴径で抑えられているので、大きくなることができず、確実にタッピングねじの切り込み量を一定化することになり、安全で使い易い電気加熱調理器とすることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気加熱調理器の正面図、図２は、同電気加熱調理器の断面図、図３は、同電気加熱調理器の要部断面図である。
【００１７】
図１〜３において、本実施の形態における電気加熱調理器は、内部に加熱室５１を形成する内筐体５０と、内筐体５０を覆う外筐体５２と、外筐体５２の外方に配した脚等の外装部品５３から構成されている。内筐体５０には、外方へ（図では、下方に）突き出したバーリング穴Ａ５４を設け、そのバーリング穴Ａ５４の外径を、タッピングねじ５７の外径より内筐体５０の板厚の１〜１．５倍大きく設定している。外筐体５２には、バーリング穴Ａ５４の外径より若干大きい穴５６を設け、バーリング穴Ａ５４を穴５６を通して外方へ突き出し、外装部品５３に設けた穴６０を貫通させたタッピングねじ５７を、前記バーリング穴Ａ５４に締め付けて、外装部品５３を固着するものである。
【００１８】
以上のように構成された電気加熱調理器について、以下その動作、作用を説明する。
【００１９】
まず、タッピングねじ５７の締め付け時、外方に突き出たバーリング穴Ａ５４によって、ねじ山数が多く掛けられると共に、バーリング穴Ａ５４が外方に突き出ているので、タッピングねじ５７は最初にバーリング穴Ａ５４の先端部に、雌ねじを切り始める。その時、タッピングねじ５７によってバーリング穴Ａ５４が押し広げられようとしても、バーリング穴Ａ５４の根元部５８ａは強度が強いので、根元部５８ａまでは径が押し広げられることが無く、タッピングねじ５７がねじ嵌合するネジ山が確実にバーリング穴Ａ５４の板厚内に切り込まれる。
【００２０】
しかもバーリング穴Ａ５４の外径は、タッピングねじ５７の外径より内筐体５０の板厚の１〜１．５倍大きく設定しているので、タッピングねじ５７の外径でバーリング穴Ａ５４にねじを切る際、板厚の１／３〜１／２の切り込み量となり、バーリング穴Ａ５４の強度が安定して強くできる。しかも外筐体５２に設けた穴５６の径は、バーリング穴Ａ５４の径より若干大きくして設け、バーリング穴Ａ５４の外径を押さえているので、バーリング穴Ａ５４が、タッピングねじ５７の締め付け時に大きくなろうとしても大きくなることができず、確実にねじの切り込み量を一定化することができる。
【００２１】
以上のように、本実施の形態によれば、バーリング穴Ａ５４を外方へ突き出して設け、このバーリング穴Ａ５４の外径を、タッピングねじ５７の外径より内筐体５０の板厚の１〜１．５倍大きくし、しかもバーリング穴Ａ５４の外径より若干大きい外装部品５３の穴５６で押さえることにより、タッピングねじ５７の締め付け強度の強い電気加熱調理器とすることができる。
【００２２】
（実施の形態２）
図４は、本発明の第２の実施例における電気加熱調理器の要部断面図である。なお、上記第１の実施の形態と同一部分については同一符号を付して、その説明を省略する。
【００２３】
図４において、内筐体５０に外方へ（図では、下方に）突き出したバーリング穴Ｂ５８を設け、その外径をタッピングねじ５７の外径より内筐体５０の板厚の１〜１．５倍大きく設定している。外筐体５２には、外方に突出する座５２ａを設け、その座５２ａに、バーリング穴Ｂ５８の外径より若干大きい内径で、内方へ（図では、上方に）突き出て、バーリング穴Ｂ５８を内包するバーリング穴Ｃ５９を設けている。
【００２４】
タッピングねじ５７を、前記バーリング穴Ｂ５８に締め付けて内筐体５０と外筐体５２を固定する。
【００２５】
以上のように構成された電気加熱調理器について、以下その動作、作用を説明する。
【００２６】
まず、タッピングねじ５７の締め付け時、バーリング穴Ｂ５８を突き出して形成しているのでタッピングねじ５７の山数が多く掛けられると共に、バーリング穴Ｂ５８を外方に突き出しているので、ねじは最初にバーリング穴Ｂ５８の先端部にタッピングねじを切り始める。タッピングねじ５７によってバーリング穴Ｂ５８の径が押し広げられようとしても、バーリング穴Ｂ５８の根元部５８ａは強度が強いので根元部５８ａまでは径は押し広げられることが無いので、ねじ山が確実に内筐体５０の板厚内に切り込まれる。
【００２７】
しかもバーリング穴Ｂ５８の外径は、タッピングねじ５７の外径より内筐体５０の板厚の１〜１．５倍大きくしているので、タッピングねじ５７の外径でバーリング穴Ｂ５８にねじを切る際、板厚の１／３〜１／２の切り込み量となり、バーリング穴Ｂ５８の強度が安定して強くなる。
【００２８】
また外筐体５２に設けたバーリング穴Ｃ５９の内径は、バーリング穴Ｂ５８の径より若干大きくして形成し、バーリング穴Ｂ５８を囲むように内包しているので、バーリング穴Ｂ５８がタッピングねじ５７で径が大きくなろうとしてもバーリング穴Ｃ５９の内径で規制され、確実にねじの切り込み量を一定化することができ、安全で使い易い電気加熱調理器とすることができる。
【００２９】
以上のように、本実施の形態によれば、バーリング穴Ｂ５８を外方へ突き出して設け、このバーリング穴Ｂ５８の外径を、タッピングねじ５７の外径より内筐体５０の板厚の１〜１．５倍大きくし、しかもバーリング穴Ｂ５８の外径より若干大きい内径を有するバーリング穴Ｃ５９で内包することにより、タッピングねじ５７の締め付け強度の強い電気加熱調理器とすることができる。
【００３０】
上記実施の形態では、外筐体５２に、内方に突き出たバーリング穴Ｃ５９を形成するために、外筐体５２に外方に突出する座５２ａを設けたが、図５に示すように、外筐体５２側には座を設けず直接バーリング穴Ｃ５９を設け、一方内筐体５０に、内方に突出する座５０ａを設け、その座５０ａに、外方に突出するバーリング穴Ｂ５８を設けるようにしても良い。
【産業上の利用可能性】
【００３１】
以上のように、本発明にかかる電気加熱調理器は、加熱効率を高くするために薄板鋼鈑で形成しても、タッピングねじの締め付け強度を強くすることができるので、電気加熱調理器に限らず加熱手段を有すると共に、外郭が板金で形成された各種機器、装置にも適用できる。
【図面の簡単な説明】
【００３２】
【図１】本発明の実施の形態１における電気加熱調理器の正面図
【図２】同電気加熱調理器の断面図
【図３】同電気加熱調理器の要部拡大断面図
【図４】本発明の実施の形態２における電気加熱調理器の要部拡大断面図
【図５】他の例を示す電気加熱調理器の要部拡大断面図
【図６】従来の電気加熱調理器の要部拡大断面図
【符号の説明】
【００３３】
５０  内筐体
５１  加熱室
５２  外筐体
５３  外装部品
５４  バーリング穴Ａ
５６  穴
５７  タッピングねじ
５８  バーリング穴Ｂ
５９  バーリング穴Ｃ
【図１】
2006170582.tif 000003
【図２】
2006170582.tif 000004
【図３】
2006170582.tif 000005
【図４】
2006170582.tif 000006
【図５】
2006170582.tif 000007
【図６】
2006170582.tif 000008